(57)【特許請求の範囲】
【請求項１】
既存建物の鉄筋コンクリート造柱又は杭の躯体における免震装置の取り付け部位を切断し、切断した躯体の上下の切断面に露出した縦鉄筋にスタッドを溶接する工程と、
免震装置の上下のプレートにそれぞれ定着部材を設け、前記免震装置を前記躯体の上下の切断面との間に隙間を開けて配置し、前記隙間を囲む型枠を設けてモルタル等を充填する工程とから成ることを特徴とする、スタッドの溶接による既存建物の免震化方法。
【請求項２】
既存建物の鉄筋コンクリート造柱又は杭の躯体における免震装置の取り付け部位を切断し、切断した躯体の上下の切断面に露出した縦鉄筋にスタッドを溶接する工程と、
袋ナットを溶接等の手段で取り付けた取付けプレートを前記躯体の上下の切断面との間に隙間を開けて配置し、前記隙間を囲む型枠を設けてモルタル等を充填する工程と、
前記モルタルが強度を発現した後に、前記上下の取付けプレートの間に免震装置を挿入し、前記袋ナットを利用して免震装置をボルトで取り付ける工程とから成ることを特徴とする、スタッドの溶接による既存建物の免震化方法。
【請求項３】
躯体の縦鉄筋にスタッドを溶接するに際し、縦鉄筋の切断面の略中央にポンチ等による凹みを形成し、前記凹みとスタッドの先端とを突き合わせて溶接することを特徴とする、請求項１又は２に記載したスタッドの溶接による既存建物の免震化方法。
【請求項４】
躯体の縦鉄筋にスタッドを溶接するに際し、切断した鉄筋又は同鉄筋の周辺の躯体断面にアークシールドを接着し、この中にスタッドガンを差し込んで溶接することを特徴とする、請求項１又は２に記載したスタッドの溶接による既存建物の免震化方法。
【発明の詳細な説明】
【０００１】
【発明の属する技術分野】
この発明は、既存建物の鉄筋コンクリート造柱又は杭の躯体へ免震装置を取り付けて、既存建物を免震構造に改修する免震化方法の技術分野に属する。
【０００２】
【従来の技術】
従来、地震時の耐震性、免震性を高めるべく、既存建物の鉄筋コンクリート造柱又は杭の躯体へ免震装置を取り付けて、既存建物を免震構造に改修する免震化方法が種々開示され、実施されている。免震装置を既存建物に取り付ける点に注目すると、
【０００３】
（I）例えば、免震装置を取り付ける鉄筋コンクリート造柱又は杭の躯体の切断面をブレーカー等ではつって、露出させた鉄骨又は鉄筋に免震装置の上下のプレートを直に溶接して同免震装置を取り付けることにより、既存建物を免震化する方法。
【０００４】
（II）免震装置を取り付ける鉄筋コンクリート造柱又は杭の躯体の切断面に後施工アンカーを打ち、前記上下の切断面と免震装置の上下のプレートとの隙間にモルタルを充填し、前記モルタルに打ち込んだ袋ナットを利用して免震装置の上下のプレートをボルトで取り付けることにより、既存建物を免震化する方法。等々がそれぞれ公知に属する。
【０００５】
【本発明が解決しようとする課題】
しかしながら、上記（I）の免震化方法は、コンクリート躯体のはつり作業中に大きな騒音と振動が発生し、周囲の環境に悪影響を及ぼす。
【０００６】
上記（II）の免震化方法は、後施工アンカーを打つ既存建物の柱又は杭のコンクリートの強度が不明な場合が多く、地震等によるせん断力を確実に免震装置へ伝達できない危険性がある。また、上記（I）の免震化方法と同様に、後施工アンカーを打つために行うドリル削孔作業中に大きな騒音と振動が発生し、周囲の環境に悪影響を及ぼす。
【０００７】
更に、上記（I）、（II）の免震化方法は、躯体の切断面にはつり作業やドリル削孔などの大がかりな加工を要するが、短時間に何本もの柱又は杭へ免震装置を取り付けることができるほど、作業効率が良くない。
【０００８】
従って、本発明の目的は、低騒音、低振動化施工を可能とすることにより周辺の環境に悪影響を及ぼすことがなく、所謂「既存建物の居ながら免震化」を可能とし、既存建物の鉄筋コンクリート造柱又は杭の躯体コンクリートの強度に左右されることなく地震等によるせん断力を確実に免震装置へ伝達することができ、しかも作業効率を向上することによりコストダウンを実現できるスタッドの溶接による既存建物の免震化方法を提供することである。
【０００９】
【課題を解決するための手段】
上述の課題を解決するための手段として、請求項１に記載した発明に係るスタッドの溶接による既存建物の免震化方法は、
既存建物の鉄筋コンクリート造柱又は杭の躯体における免震装置の取り付け部位を切断し、切断した躯体の上下の切断面に露出した縦鉄筋にスタッドを溶接する工程と、
免震装置の上下のプレートにそれぞれ定着部材を設け、前記免震装置を前記躯体の上下の切断面との間に隙間を開けて配置し、前記隙間を囲む型枠を設けてモルタル等を充填する工程とから成ることを特徴とする。
【００１０】
請求項２に記載した発明に係るスタッドの溶接による既存建物の免震化方法は、
既存建物の鉄筋コンクリート造柱又は杭の躯体における免震装置の取り付け部位を切断し、切断した躯体の上下の切断面に露出した縦鉄筋にスタッドを溶接する工程と、
袋ナットを溶接等の手段で取り付けた取付けプレートを前記躯体の上下の切断面との間に隙間を開けて配置し、前記隙間を囲む型枠を設けてモルタル等を充填する工程と、
前記モルタルが強度を発現した後に、前記上下の取付けプレートの間に免震装置を挿入し、前記袋ナットを利用して免震装置をボルトで取り付ける工程とから成ることを特徴とする。
【００１１】
請求項３記載のスタッドの溶接による既存建物の免震化方法は、請求項１又は２に記載した発明に係るスタッドの溶接による既存建物の免震化方法において、躯体の縦鉄筋にスタッドを溶接するに際し、縦鉄筋の切断面の略中央にポンチ等による凹みを形成し、前記凹みとスタッドの先端とを突き合わせて溶接することを特徴とする。
【００１２】
請求項４記載のスタッドの溶接による既存建物の免震化方法は、請求項１又は２に記載した発明に係るスタッドの溶接による既存建物の免震化方法において、躯体の縦鉄筋にスタッドを溶接するに際し、切断した鉄筋又は同鉄筋の周辺の躯体断面にアークシールドを接着し、この中にスタッドガンを差し込んで溶接することを特徴とする。
【００１３】
【本発明の実施の形態、及び実施例】
図１〜図３は、請求項１及び３、４に記載した発明に係るスタッドの溶接による既存建物の免震化方法の実施形態を示す。この免震化方法は、既存建物の鉄筋コンクリート造柱又は杭の躯体１へ直接免震装置２を取り付けて、既存建物を免震構造に改修する免震化方法として好適に実施される。
【００１４】
この免震化方法は、既存建物の鉄筋コンクリート造柱（又は杭）の躯体１を直接又はその周辺部を、図示を省略した公知の仮設支持手段で支持し、荷重の盛り替えを行った後に、免震装置２の取り付け部位を切断することから始める。
【００１５】
図２は、前記切断した柱躯体１の上下の切断面に露出した縦鉄筋１ｃ…にそれぞれスタッド３…を溶接した段階を示す。上側の躯体１ａ及び下側の躯体１ｂの鉄筋１ｃの断面は、グラインダー等により平滑化し、同平滑化した断面の略中央にポンチ等により凹み１ｄを形成し（図３Ｂ）、前記凹み１ｄにスタッド３の先端を突き合わせて溶接する（請求項３記載の発明）。したがって、鉄筋１ｃの断面とスタッド３の先端に芯ずれが発生することがなく、溶接強度を確保できる。なお、図３（Ａ）は柱躯体１の切断面を示し、（Ｂ）は鉄筋１ｃの拡大断面を示す。
【００１６】
図１は、上記のようにして用意した柱躯体１の前記切断部位に、免震装置２を直接挿入して設置した段階を示す。即ち、免震装置２の上下の所謂取付けプレート４、５にはそれぞれ定着部材７を予め設けておく。前記定着部材７は具体的には袋ナットであり、これを溶接等の手段で取付けプレート４、５に取り付けておく。免震装置２を構成する上下の面板２ａ、２ｂと前記上下の取付けプレート４、５とは予め前記袋ナット７へねじ込んだボルト８で一体化し、完成した免震装置２が前記切断部位へ配置される。
【００１７】
前記のように完成状態の免震装置２は、前記柱躯体１の上下の切断面と各取付けプレート４、５との間に相当な隙間を開けて配置される。前記相当な隙間とは、前記スタッド３と定着部材７とがモルタル６を介して一体化接合するために必要十分な大きさの隙間を意味する。そのため、図示は省略したが、特に下側の躯体１ｂの切断面には、前記相当な隙間を確保する隙間保持部材を配置する。前記隙間保持部材は、下側の取付けプレート５の下面に溶接等の手段で設けても良い。
【００１８】
次に、前記上下の取付けプレート４、５と柱躯体１の上下の切断面との間を包囲して塞ぐ配置で型枠９を設置し、その後モルタル６を充填する。モルタル６が硬化し強度を発現すると、前記免震装置２はモルタル６を介して柱躯体１に一体化し定着する。前記モルタル６には、高流動でかつ膨張性に優れたモルタルを用いる。したがって、充填時に大きな注入圧力を必要とせず、注入作業が容易で作業効率の向上に寄与し、ローコスト化を実現できる。
【００１９】
前記モルタル６が強度を発現した後に、前記仮設支持手段の軸力を免震装置２による支持に盛り替え、同仮設支持手段及び型枠９を撤去することにより、当該柱躯体１に関する免震構造への改修工事を完了する。
【００２０】
上記の免震化方法は、縦鉄筋１ｃにスタッド３を溶接し、これを免震装置定着の手段として用いるため、柱躯体１にはつり作業やドリル削孔などの大がかりな加工を行う必要がなく、作業効率を向上することができ、コストダウンを実現できる。また、低騒音、低振動化施工を可能とし、周辺の環境に悪影響を及ぼすことがないため、所謂「既存建物の居ながら免震化」が可能である。
【００２１】
更に、スタッド３…を既存建物の鉄筋コンクリート造柱（又は杭）の躯体１の縦鉄筋１ｃ…に溶接するため、地震等によるせん断力を確実にスタッド３…を介して免震装置２へ伝達することができる。
【００２２】
なお、上記実施形態では、免震装置２の上下に面板２ａ、２ｂと取付けプレート４、５が設けられているが、取付けプレート４、５は省略しても良い。この場合、免震装置２の上部面板２ａの上面及び下部面板２ｂの下面にスタッド等を溶接し、同スタッドを定着部材として用いることにより簡易な構成で実施できる。
【００２３】
次に、請求項２に記載した発明に係る免震化方法も、請求項１に記載した発明と同様に、既存建物の鉄筋コンクリート造柱又は杭の躯体１へ免震装置２を取り付けて、既存建物を免震構造に改修する免震化方法として好適に実施される。
【００２４】
この免震化方法も、既存建物の鉄筋コンクリート造柱（又は杭）の躯体１を直接又はその周辺部を、図示を省略した仮設支持手段で支持し、荷重を盛り替えた後に、免震装置２の取り付け部位を切断することから始める。
【００２５】
そして、前記切断した柱躯体１の上下の切断面に露出した縦鉄筋１ｃ…にぞれぞれスタッド３…を溶接する（図２）。上側の躯体１ａ及び下側の躯体１ｂの鉄筋１ｃの断面は、グラインダー等により平滑化し、同平滑化した断面の略中央にポンチ等により凹み１ｄを形成し（図３Ｂ）、前記凹み１ｄにスタッド３の先端を突き合わせて溶接する（請求項３記載の発明）。
【００２６】
図４は、上記のようにして用意した柱躯体１の前記切断部位に、免震装置２の上下の所謂取付けプレート４、５を設置した段階を示す。前記取付けプレート４、５にはそれぞれ、定着部材として免震装置２を取り付けるために用いる袋ナット７を溶接等の手段で取り付けておく。前記取付けプレート４、５は、柱躯体１の上下の切断面と相当な隙間を開けて配置される。前記相当な隙間とは、上述したように前記スタッド３と袋ナット７とがモルタル６を介して一体化接合するために必要十分を大きさの隙間を意味する。そのため、図示は省略したが、上下の取付けプレート４、５には、前記相当な隙間を確保する隙間保持部材を溶接等の手段で予め設けておくのが良い。なお、前記上側の取付けプレート４には、図示を省略した支持手段が設けられ、取付け位置からずり落ちないように支持されている。
【００２７】
上記の取付けプレート４、５は、柱躯体１の上下の切断面に対峙する配置で設けた型枠として利用し、更に両者の隙間を外周から包囲して塞ぐ配置で型枠９を設け、その後モルタル６を充填する。型枠９を上記取付けプレート４、５の支持手段に兼用することもできる。
【００２８】
前記モルタル６が強度を発現し、取付けプレート４、５が柱躯体１へ定着した後に、前記上下の取付けプレート４、５の間に免震装置２を挿入し、前記袋ナット７へボルト８をねじ込んで免震装置２を取り付け一体化する。
【００２９】
そして、上述した仮設支持手段の軸力を免震装置２による支持に盛り替え、前記仮設支持手段と型枠９を撤去することにより、当該柱躯体１に関する免震構造への改修工事が完了する（図１）。
【００３０】
この免震化方法も、請求項１に記載した発明と同様に縦鉄筋１ｃにスタッド３を溶接し、これを免震装置定着の手段として用いるため、柱躯体１にはつり作業やドリル削孔などの大がかりな加工を行う必要がなく、作業効率を向上することができ、コストダウンを実現できる。また、低騒音、低振動化施工を可能とし、周辺の環境に悪影響を及ぼすことがないため、所謂「既存建物の居ながら免震化」が可能である。
【００３１】
更に、スタッド３…を既存建物の柱（又は杭）の躯体１の縦鉄筋１ｃ…に溶接するため、柱躯体１のコンクリートの強度に左右されることなく地震等によるせん断力を確実にスタッド３…を介して免震装置２へ伝達することができる。
【００３２】
要するに、本発明は、躯体１の切断面に露出した縦鉄筋１ｃ…に溶接したスタッド３…を躯体定着の一部として用いて免震装置２を上下の躯体１へ取り付ければ良い。
【００３３】
なお、上記実施形態では、鉄筋１ｃの断面とスタッド３の先端とを溶接するに際し、鉄筋１ｃの断面の略中央にポンチ等により凹み１ｄを形成して、前記凹み１ｄを目印とし鉄筋１ｃとスタッド３との芯ずれを防いで溶接しているが、この限りではない。即ち、鉄筋１ｃ又は鉄筋１ｃの周辺の躯体断面にアークシールドを接着し、この中にスタッドガンを差し込んで溶接することも可能である（請求項４記載の発明）。要するに、鉄筋１ｃとスタッド３との芯ずれを防ぐことができれば良い。
【００３４】
【本発明の奏する効果】
本発明に係るスタッドの溶接による既存建物の免震化方法は、縦鉄筋にスタッドを溶接し、これを免震装置定着の手段として用いるため、躯体にはつり作業やドリル削孔などの大がかりな加工を行う必要がなく、作業効率を向上することができ、コストダウンを実現できる。また、低騒音、低振動化施工を可能とし、周辺の環境に悪影響を及ぼすことがないため、所謂「既存建物の居ながら免震化」が可能である。
【００３５】
更に、スタッドを既存建物の柱又は杭の躯体の縦鉄筋に溶接するため、既存建物の柱又は杭のコンクリート躯体の強度に左右されることなく地震等によるせん断力を確実にスタッドを介して免震装置へ伝達することができる。
【図面の簡単な説明】
【図１】請求項１〜４に記載したスタッドの溶接による既存建物の免震化方法の実施形態を示した立面図である。
【図２】切断した躯体の上下の切断面に露出した縦鉄筋にスタッドを溶接した状態を示した立面図である。
【図３】Ａは、躯体の切断面を示した断面図である。Ｂは、鉄筋の切断面を示した断面図である。
【図４】請求項２に記載したスタッドの溶接による既存建物の免震化方法の途中工程の実施形態を示した立面図である。
【符号の説明】
１                柱躯体
１ａ              上側の躯体
１ｂ              下側の躯体
１ｃ              縦鉄筋
１ｄ              凹み
２                免震装置
３                スタッド
４、５            取付けプレート
６                モルタル
７                袋ナット
８                ボルト
９                型枠
【図１】
0004286443.tif 000002
【図２】
0004286443.tif 000003
【図３】
0004286443.tif 000004
【図４】
0004286443.tif 000005